(57)【要約】【課題】軽量、かつ、クーリング効果が高く、幼児が成長しても十分なフィット性を得ることができるヘルメットを提供する。【解決手段】頭の上部を覆う帽体Ｂと、前記帽体Ｂの内側の前面、後面および側面に複数に分割された内装パッド４とを備えたヘルメットにおいて、前記内装パッド４は緩衝材が不織布製の袋内に収容されてなり、前記帽体Ｂの内側の前面、後面および側面には、前記内装パッドの不織布に係合して前記内装パッドを保持する第１面ファスナが分割して配置されている。【選択図】図１
2008002001.tif 000002
【特許請求の範囲】
【請求項１】
頭の上部を覆う帽体と、
前記帽体の内側の前面、後面および側面に複数に分割された内装パッドとを備えたヘルメットにおいて、
前記内装パッドは緩衝材が不織布製の袋内に収容されてなり、
前記帽体の内側の前面、後面および側面には、前記内装パッドの不織布に係合して前記内装パッドを保持する第１面ファスナが分割して配置されているヘルメット。
【請求項２】
請求項１において、前記帽体には前記帽体を貫通する複数の貫通孔が設けられ、前記複数の貫通孔のうち少なくとも１つの貫通孔には、帽体の内から外に突出する装着体が前記貫通孔を貫通して外方に突出しており、
前記装着体は前記帽体に着脱可能に設けられていると共に、前記装着体を取り外した状態では前記貫通孔が通気孔となるヘルメット。
【請求項３】
請求項２において、前記装着体は前記帽体外へ突出する突出部と、前記帽体内に収容され緩衝機能を持つ緩衝部とを備えてなるヘルメット。
【請求項４】
請求項３において、前記内装パッドおよび／または緩衝部はゲルを封入した不織布からなる袋体からなるヘルメット。
【請求項５】
請求項４において、前記ゲルの針入度が２０〜２００の範囲に設定されているヘルメット。
【請求項６】
請求項３において、前記内装パッドおよび／または緩衝部は木炭粉を封入した不織布からなる袋体からなるヘルメット。
【請求項７】
請求項６において、前記緩衝部の木炭粉が、廃棄木材を素材とした木炭を紛砕したものであるヘルメット。
【請求項８】
請求項４もしくは６において、前記帽体の内面における貫通孔の周囲には前記緩衝部を固定するための固定部材が設けられ、前記緩衝部の袋体が前記固定部材に固定されているヘルメット。
【請求項９】
請求項１もしくは３において、前記内装パッドもしくは緩衝部の頭部に接する不織布の表面に多数の凸部が形成されているヘルメット。
【請求項１０】
請求項９において、前記内装パッドもしくは緩衝部の不織布の表面は、当該不織布に多数の凸部が賦形されているヘルメット。
【請求項１１】
請求項１もしくは３において、前記不織布の面ファスナに係合する面は、前記不織布の頭部に接する面よりも毛羽立っていることを特徴とするヘルメット。
【請求項１２】
請求項１において、前記帽体は頭の上部を覆う半球殻状の樹脂の非発泡体からなるシェルと、前記シェルの内側に設けられた半球殻状の樹脂の発泡体からなるライナとを備えたヘルメット。
【発明の詳細な説明】
【技術分野】
【０００１】
本発明は、ヘルメットに係り、特に、幼児用のヘルメットに関するものである。
【背景技術】
【０００２】
従来より、ヘルメット着用時における頭部の冷却に関する提案が行われている（特許文献１および２）。
【特許文献１】実開平５−３５８２５号公報（要約）
【特許文献２】特開２０００−７６２２３号公報（要約、図１）
【０００３】
幼児は、成人に比べ代謝率が高く体温が高いため、ヘルメット内の温度が上昇し易い。また、転倒時などの衝撃吸収を十分に行うには、ヘルメットの内装材が頭部にフィットしている必要があるが、幼児は、成長に従い頭部が大きくなるので、成長に応じてヘルメットをフィットさせることは重要である。さらに、幼児は、成人に比して首の骨や頭蓋骨が弱いため、ヘルメットの軽量化も重要である。
【発明の開示】
【０００４】
したがって、本発明の目的は、軽量、かつ、クーリング効果が高く、幼児が成長しても十分なフィット性を得ることができるヘルメットを提供することである。
【０００５】
前記目的を達成するために、本発明のヘルメットは、頭の上部を覆う帽体と、前記帽体の内側の前面、後面および側面に複数に分割された内装パッドとを備えたヘルメットにおいて、前記内装パッドは緩衝材が不織布製の袋内に収容されてなり、前記帽体の内側の前面、後面および側面には、前記内装パッドの不織布に係合して前記内装パッドを保持する第１面ファスナが分割して配置されている。
【０００６】
本発明によれば、内装パッドを面ファスナで着脱することができるので、幼児の成長に応じて内装パッドを取り換えることで、長期間に渡ってヘルメットを用いることができる。しかも、ヘルメットを幼児の頭部に十分にフィットさせることができるので、衝撃吸収能力が低下するおそれがない。
また、内装パッドを構成する不織布に面ファスナが係合するので、別途、雌面ファスナを必要としないのでコストダウンを図り得る。
さらに、面ファスナの多数のフックは緩衝材としても役立つため、緩衝材の量を軽減することができるから、大幅な軽量化を図り得る。
【０００７】
本発明において、前記帽体には前記帽体を貫通する複数の貫通孔が設けられ、前記複数の貫通孔のうち少なくとも１つの貫通孔には、帽体の内から外に突出する装着体が前記貫通孔を貫通して外方に突出しており、前記装着体は前記帽体に着脱可能に設けられていると共に、前記装着体を取り外した状態では前記貫通孔が通気孔となるのが好ましい。
【０００８】
この態様によれば、装着体を角や耳などの形状とすることにより、幼児がヘルメットの意匠を楽しむことができ、幼児がヘルメットを装着したがらないトラブルの防止に役立つ。
しかも、装着体を取り外すことにより、貫通孔が通気孔として役立つ。
【０００９】
本発明において、前記装着体は前記帽体外へ突出する突出部と、前記帽体内に収容され緩衝機能を持つ緩衝部とを備えているのが好ましい。
この態様によれば、帽体内の緩衝部により、衝撃吸収能力がより一層向上する。
【００１０】
本発明において、前記内装パッドおよび緩衝部は、ゲルを封入した不織布からなる袋体からなるのが好ましい。あるいは、前記内装パッドまたは緩衝部は、ゲルを封入した不織布からなる袋体からなるのが好ましい。
この態様によれば、ゲルを用いることにより衝撃吸収だけでなく、吸熱による冷却効果を得ることができる。
【００１１】
本発明において、前記ゲルの針入度が２０〜２００の範囲に設定されているのが好ましい。すなわち、ゲルの針入度が２０を越える場合には、ゲルが硬すぎて十分な衝撃吸収能力が得られない。一方、ゲルの針入度が２００を越える場合には、ゲルが柔らかすぎて十分な衝撃吸収能力が得られない。したがって、ゲルの針入度が２０〜２００の範囲に設定されているのが好ましい。
【００１２】
本発明において、前記内装パッドおよび緩衝部は木炭粉を封入した不織布からなる袋体からなるのが好ましい。あるいは、前記内装パッドまたは緩衝部は木炭粉を封入した不織布からなる袋体からなるのが好ましい。
この態様によれば、炭による衝撃吸収だけでなく、脱臭や鎮静効果が期待できる。
【００１３】
ここで、硬い帽体のみでは、転倒時等の衝撃が十分に吸収されず、直接、幼児の頭部に大きな衝撃がかかるおそれがある。そこで、炭やゲルを緩衝部に用いて柔らかな緩衝部を構成することにより、頭部が地面に叩き付けられる際の速度が柔らかな緩衝部により、減速される一方で、硬い帽体で頭部にかかる衝撃を吸収することができる。
【００１４】
本発明において、前記緩衝部の木炭粉が、廃棄木材を素材とした木炭を紛砕したものであるのが好ましい。
この態様によれば、地球規模の温暖化の防止に貢献することができる。
【００１５】
本発明において、前記帽体の内面における貫通孔の周囲には前記緩衝部を固定するための固定部材が設けられ、前記緩衝部の袋体が前記固定部材に固定されているのが好ましい。
この態様によれば、固定部材により緩衝部が外れて落下するのを防止することができる。
【００１６】
本発明において、前記内装パッドもしくは緩衝部の頭部に接する不織布の表面に多数の凸部が形成されているのが好ましい。
この態様によれば、前記多数の凸部により、通気性が向上することによりムレを防止することができる。
【００１７】
本発明において、前記内装パッドもしくは緩衝部の不織布の表面は、当該不織布に多数の凸部が賦形されているのが好ましい。
この態様によれば、不織布に多数の突部を賦形させることにより、製造コストを大幅に低減させることができる。
【００１８】
本発明において、前記不織布の面ファスナに係合する面は、前記不織布の頭部に接する面よりも毛羽立っているのが好ましい。
この態様によれば、不織布を毛羽立たせることにより、前記第１面ファスナとの係合効果をより一層増大させることができる。
【００１９】
本発明において、前記帽体は頭の上部を覆う半球殻状の樹脂の非発泡体からなるシェルと、前記シェルの内側に設けられた半球殻状の樹脂の発泡体からなるライナとを備えているのが好ましい。
この態様によれば、大きな衝撃が外側からかかった場合には、比較的硬いシェルが割れて外側からの衝撃を吸収すると共に、シェルよりも柔らかいライナが潰れることにより更に衝撃を吸収することができる。
【発明を実施するための最良の形態】
【００２０】
以下、本発明の一実施形態を図面にしたがって説明する。
実施例１：
図１Ａに示すように、ヘルメットは、頭の上部を覆う帽体Ｂと、内装パッド３，４および装着体５を備えている。
【００２１】
帽体Ｂ：
帽体Ｂは、シェル１およびライナ２からなる。シェル１は、樹脂製のもので、ヘルメット着用者の頭頂部と側頭部を覆う半球殻状に形成されている。ライナ２は、たとえば発泡スチロールからなる半球殻状の衝撃吸収部材であり、シェル１の内側に設けられている。
なお、シェル１は適度な強度を保持していればよく、軽量化のために、たとえば発泡スチロール等のライナ２の表面にフィルムなどでラミネート加工を施したものを採用してもよい。
【００２２】
内装パッド３，４：
図１Ｂに示すように、帽体Ｂの内側の頭頂部には第１内装パッド３が設けられ、帽体Ｂの内側の前面、後面および側面には複数に分割された第２内装パッド４が設けられている。図３Ａ〜図３Ｃに示すように、内装パッド３，４は、緩衝材４０が封入された不織布製の袋体４１からなる。
【００２３】
図２Ａの網点で示すように、ライナ２の内側には、内装パッド３，４の不織布に係合して、前記内装パッド３，４を保持する第１面ファスナ６１が分割して配置されている。図３Ａに示すように、第１面ファスナ６１は、雄面ファスナで構成されている。該第１面ファスナ６１に係合する袋体４１の不織布の面４２ａを毛羽立たせることにより、第１面ファスナ６１と内装パッド３，４との係合をより強固にすることができる。
【００２４】
フィット性：
図５Ａに示すように、頭部に接する内装パッド３，４の不織布の表面には、多数の凸部４３が形成されている。図３Ａ〜図３Ｃに示すように、内装パッド３，４は、前記凸部４３の大きさ（厚み）の異なるものが複数種類予め用意されている。幼児の成長に応じて、凸部４３の厚みＬ１〜Ｌ３が異なる内装パッド３，４を第１面ファスナ６１に装着することにより、内装パッド３，４を着用者の頭部の大きさに合わせてフィットさせることができる。したがって、ヘルメットを頭部に十分フィットさせることができるので、ヘルメットの衝撃吸収能力を十分に発揮させることができる。
【００２５】
緩衝材４０：
前記緩衝材４０としては、たとえば、ゲルや木炭粉を用いることができ、該緩衝材４０は袋体４１に封入されている。
緩衝材４０として、木炭粉やシリコーンゲルを用いることにより、衝撃吸収効果を得ることができる。また、内装パッド３，４の保持に第１面ファスナ６１を用いることにより、該第１面ファスナ（雄面ファスナ）６１の多数の鉤状のフックがクッションの役割を果たし、衝撃吸収効果がより一層向上する。そのため、ライナ２を薄くしてヘルメットの軽量化を図り得る。
【００２６】
図５Ｂに示すように、緩衝材４０として木炭粉を内装する場合には、前記袋体４１は、高分子繊維からなり通気性を有する不織布製で平坦な裏地４２と、多数の凸部４３を形成した表地４４とを備えている。これら多数の凸部４３間の隙間を裏地４２に対して溶着によってキルティングし、このキルティングによって囲まれた多数の凸部４３と裏地４２との間に、杉や松などの廃棄木材を素材とした木炭を粉砕して製造した木炭粉４０を内装する。
【００２７】
前記木炭粉として廃棄木材を素材とした木炭を紛砕したものを用いることにより、地球規模の温暖化の防止に寄与することができる。木炭粉を使用することにより、木炭の持つ鎮静効果や脱臭効果を期待できる。
【００２８】
一方、緩衝材４０としてゲルを用いた場合には、予め冷蔵庫や冷暗所にて該緩衝材４０を冷却した後、内装パッド３，４を第１面ファスナ６１に装着することで、幼児の頭部を効率良く、かつ、長時間に渡って冷却することができる。また、シリコーンゲルの断熱作により頭頂部への影響を緩和できる。
【００２９】
前記ゲルは、装着感や衝撃吸収効果を考慮し、その針入度が２０〜２００の範囲に設定された柔らかいものを使用するのが好ましい。また、ゲルを用いる場合には、必ずしも多数の凸部４３を形成する必要はなく、たとえば、図１Ａに示すように、頭頂部に接する面積を大きくすることで、ゲルによる冷却効果を高めることができる。
【００３０】
内装パッド３，４の配置によるクーリング効果：
図１Ｂに示すように、第１内装パッド３がライナ２の頭頂部の内側に配置され、左右一対の第２内装パッド４がライナ２の両側に振り分けて配置されることで、ライナ２の前頭部の内側から第１内装パッド３を取り囲んでライナ２の後頭部の内側に連なる通気路が形成される。したがって、本ヘルメットを装着して、自転車の前ないし後ろに幼児を乗せると、走行風によっり矢印で示すように、空気がヘルメットの前方から後方に向って流れ、クーリング効果が得られる。
【００３１】
装着体５：
図２Ａおよび図２Ｂに示すように、前記帽体Ｂには、該帽体Ｂを貫通する複数の貫通孔７が設けられている。図４Ａに示すように、前記貫通孔７には、帽体Ｂの内から外に向って突出する装着体５が、貫通孔７を貫通して外方に突出して装着される。
【００３２】
前記装着体５は、帽体Ｂ外へ突出する突出部５１と、帽体Ｂ内に収容され緩衝機構を持つ緩衝部５２とを備えている。突出部５１は、たとえば、内部が空洞のゴムなどで形成されている。前記緩衝部５２は、前記緩衝材４０と同様に、木炭粉またはゲルを封入した不織布からなる袋体で構成されている。突出部５１の基端部は、緩衝部５２に固着されている。
【００３３】
緩衝部５２には、内装パッド４の凸部４３と同様な凸部５３が形成されている。
図２Ａに示す貫通孔７の周囲には、網点で示すように、緩衝部５２を固定するための固定部材（第２面ファスナ）６２が固着されている。図４Ａに示すように、固定部材６２は、たとえば、雄面ファスナからなり、不織布からなる緩衝部５２が固定される。なお、緩衝部５２の固定部材６２に係合する面は、前述の内装パッド４のように毛羽立たせることにより、固定部材６２と装着体５の係合をより強固にしている。
【００３４】
突出部５１の形状としては、角や耳など幼児が喜んでヘルメットを装着するような意匠にするのが好ましい。突出部５１の基端部は、その周囲のみが緩衝部５２に固着されており、ヘルメット内の温められた空気ＷＡが突出部５１内に流れ込むことで、突出部５１が膨んで立上り、幼児が喜ぶような意匠性が高まる。
なお、突出部５１を備えた装着体５を貫通孔７全てに装着してもよいが、前の２つや後ろの２つのみに装着することにより、生物の耳や角などを想起させるようにしてもよい。  
【００３５】
幼児が突出部５１に飽きた場合などには、図４Ｂに示すように、緩衝部５２のみを装着してもよいし、装着体５や緩衝部５２を取り外すことにより、貫通孔７を通気孔として用いることもできる。
【００３６】
使用方法：
幼児の成長に合わせてヘルメットをフィットさせる；                                幼児が幼く、頭部が小さい場合には、図３Ａに示すように、凸部４３の形状が大きく、その厚みＬ１が大きな内装パッド３，４を第１面ファスナ６１に装着することで、該幼児の頭部にヘルメットをフィットさせる。幼児の成長に伴って頭部が大きくなると、順次、図３Ｂおよび図３Ｃに示すような凸部４３の大きさが小さく、その厚みＬ２，Ｌ３が小さな内装パッド３，４を第１面ファスナ６１に装着することで、前記幼児の頭部にヘルメットをフィットさせることができる。
したがって、幼児の成長に応じて内装パッド３，４を取り換えることで、長期間に渡ってヘルメットを用いることができる。
【００３７】
なお、個々人の頭部の形状に応じて、第１面ファスナ６１の各部に装着する内装パッド４の種類を選択して用いてもよい。たとえば、前後方向の長さが長い頭部の場合には、前頭部および後頭部に接する内装パッド４として厚さの薄いものを用い、側頭部には厚さの厚めのものを用いることで、ヘルメットの着用者へのフィット性を向上させることができる。
【００３８】
内装パッド３，４の使い分け：
季節や気温に応じて、木炭の内蔵された内装パッド３，４とゲルの内蔵された内装パッド３，４とを使い分けることにより、頭部の冷却や爽快感を得ることができる。
内装パッド３，４および装着体５の緩衝材４０として、木炭を用いたものを使用するか、ゲルを用いたものを使用するかは、保護者の配慮や幼児自身の嗜好によって使い分けることができるが、以下、一般的な使用例について例示して説明する。
なお、内装パッド３，４および装着体５は、前述のように、幼児の頭部にフィットする厚みのものを使用する。
【００３９】
たとえば、夏など、ヘルメット内の温度が上昇し易い場合には、図６Ａに示すように、緩衝材４０として予め冷却されたゲルが内装された内装パッド３を頭頂部に装着する。他の部分の内装パッド４や装着体５の緩衝部５２（図４Ａ）には、緩衝材４０として炭が内装されたものを用いる。
また、外気の温度が非常に高い場合には、全ての内装パッド３，４および装着体５の緩衝部５２（図４Ａ）の緩衝材４０にゲルが内装されたものを用いてもよい。
【００４０】
冬など気温の低い場合には、全ての内装パッド３，４および装着体５の緩衝部５２（図４Ａ）の緩衝材４０に木炭が内装されたものを用いてヘルメット内の温度低下を防止する。
なお、装着体５には、幼児の嗜好に応じて、突出部５１が突設されたものを用いてもよいし、突出部５１の無いものを用いてもよい。
【００４１】
春や秋などには、装着体５を装着せず、貫通孔７を通気孔として使用することにより、走行風がヘルメット内に流入し、クーリング効果が向上し、爽快感を得ることができる。
【００４２】
ここで、図７Ａに示すように、内装パッド４の凸部４３を概ね平行に細長く形成してもよい。図７Ｂに示すように、内装パッド４を前記細長く形成された凸部４３がヘルメット内の周方向に沿うように装着することにより、走行風Ａが凸部４３の間を通り後方に抵抗なく排出される。そのため、前頭部から側頭部、後頭部に向って通気性が向上するのでクーリング効果がより一層向上する。
また、図４Ａに示す装着体５の緩衝部５２の突部５３を無くしてもよい。かかる場合には、図７Ｂに示すように、走行風が前方から後方に向って、より一層抵抗なく流れるようにすることができる。
【００４３】
なお、貫通孔７は４個に限らず、２個以上であればよく、たとえば、図７Ｂに示すように複数貫通孔７を設け、通気孔として使用してもよい。
さらに、内装パッド３を頭頂部に設ける必要はなく、内装パッド４を頭頂部から下方に向って連なるように、帽体Ｂの内側の前面、後面および側面に設けてもよい。
【図面の簡単な説明】
【００４４】
【図１】図１Ａおよび図１Ｂは本発明の一実施形態を示すヘルメットを示し、図１Ａは図２ＢのIA-IA 線断面図、図２Ｂは本ヘルメットの底面図である。
【図２】図２Ａは面ファスナの配置を示す底面図、図２Ｂは頭頂部に凸部を有する内装パッドを装着した状態を示す断面図である。
【図３】図３Ａ〜図３Ｃは、凸部の大きさの異なる内装パッドを示す断面図である。
【図４】図４Ａは突出部を有する装着体を装着した状態を示す断面図、図４Ｂは突出部を有しない装着体を装着した状態を示す断面図、図４Ｃは装着体を装着しない状態を示す断面図である。
【図５】図５Ａは内装パッドの凸部の形状の一例を示す斜視図、図５Ｂは内装パッドの分解斜視図である。
【図６】装着体および内装パッドの装着状態のバリエーションを示す縦断面図である。
【図７】図７Ａは変形例を示す緩衝材の形状を示す斜視図、図７Ｂは同底面図である。
【符号の説明】
【００４５】
１：シェル
２：ライナ
３，４：内装パッド
５：装着体
７：貫通孔（通気孔）
４０：緩衝材
４１：袋体
４３，５３：凸部
５１：突出部
５２：緩衝部
６１：第１面ファスナ
６２：固定部材（第２面ファスナ）
Ｂ：帽体
【図１】
2008002001.tif 000003
【図２】
2008002001.tif 000004
【図３】
2008002001.tif 000005
【図４】
2008002001.tif 000006
【図５】
2008002001.tif 000007
【図６】
2008002001.tif 000008
【図７】
2008002001.tif 000009
【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
頭の上部を覆う帽体と、
前記帽体の内側の前面、後面および側面に複数に分割された内装パッドとを備えたヘルメットにおいて、
前記内装パッドは緩衝材が不織布製の袋内に収容されてなり、
前記帽体の内側の前面、後面および側面には、前記内装パッドの不織布に係合して前記内装パッドを保持する第１面ファスナが分割して配置され、
前記帽体には前記帽体を貫通する複数の貫通孔が設けられ、前記複数の貫通孔のうち少なくとも１つの貫通孔には、帽体の内から外に突出する装着体が前記貫通孔を貫通して外方に突出しており、
前記装着体は前記帽体に着脱可能に設けられていると共に、前記装着体を取り外した状態では前記貫通孔が通気孔となるヘルメット。
【請求項２】
請求項１において、前記装着体は前記帽体外へ突出する突出部と、前記帽体内に収容され緩衝機能を持つ緩衝部とを備えてなるヘルメット。
【請求項３】
請求項２において、前記内装パッドおよび／または緩衝部はゲルを封入した不織布からなる袋体からなるヘルメット。
【請求項４】
請求項３において、前記ゲルの針入度が２０〜２００の範囲に設定されているヘルメット。
【請求項５】
請求項２において、前記内装パッドおよび／または緩衝部は木炭粉を封入した不織布からなる袋体からなるヘルメット。
【請求項６】
請求項５において、前記緩衝部の木炭粉が、廃棄木材を素材とした木炭を紛砕したものであるヘルメット。
【請求項７】
請求項３もしくは５において、前記帽体の内面における貫通孔の周囲には前記緩衝部を固定するための固定部材が設けられ、前記緩衝部の袋体が前記固定部材に固定されているヘルメット。
【請求項８】
請求項１もしくは２において、前記内装パッドもしくは緩衝部の頭部に接する不織布の表面に多数の凸部が形成されているヘルメット。
【請求項９】
請求項８において、前記内装パッドもしくは緩衝部の不織布の表面は、当該不織布に多数の凸部が賦形されているヘルメット。
【請求項１０】
請求項１もしくは２において、前記不織布の面ファスナに係合する面は、前記不織布の頭部に接する面よりも毛羽立っていることを特徴とするヘルメット。
【請求項１１】
請求項１において、前記帽体は頭の上部を覆う半球殻状の樹脂の非発泡体からなるシェルと、前記シェルの内側に設けられた半球殻状の樹脂の発泡体からなるライナとを備えたヘルメット。
【手続補正書】
【提出日】平成18年11月27日(2006.11.27)
【手続補正１】
【補正対象書類名】明細書
【補正対象項目名】０００７
【補正方法】変更
【補正の内容】
【０００７】
本発明において、前記帽体には前記帽体を貫通する複数の貫通孔が設けられ、前記複数の貫通孔のうち少なくとも１つの貫通孔には、帽体の内から外に突出する装着体が前記貫通孔を貫通して外方に突出しており、前記装着体は前記帽体に着脱可能に設けられていると共に、前記装着体を取り外した状態では前記貫通孔が通気孔となる。
【手続補正２】
【補正対象書類名】明細書
【補正対象項目名】０００８
【補正方法】変更
【補正の内容】
【０００８】
この発明によれば、装着体を角や耳などの形状とすることにより、幼児がヘルメットの意匠を楽しむことができ、幼児がヘルメットを装着したがらないトラブルの防止に役立つ。
しかも、装着体を取り外すことにより、貫通孔が通気孔として役立つ。
【手続補正３】
【補正対象書類名】明細書
【補正対象項目名】００３５
【補正方法】変更
【補正の内容】
【００３５】
幼児が突出部５１に飽きた場合などには、図４Ｂに示すように、装着体５や緩衝部５２を取り外すことにより、貫通孔７を通気孔として用いることができる。
【手続補正４】
【補正対象書類名】明細書
【補正対象項目名】００４０
【補正方法】変更
【補正の内容】
【００４０】
冬など気温の低い場合には、全ての内装パッド３，４および装着体５の緩衝部５２（図４Ａ）の緩衝材４０に木炭が内装されたものを用いてヘルメット内の温度低下を防止する。
【手続補正５】
【補正対象書類名】明細書
【補正対象項目名】００４４
【補正方法】変更
【補正の内容】
【００４４】
【図１】図１Ａおよび図１Ｂは本発明の一実施形態を示すヘルメットを示し、図１Ａは図２ＢのIA-IA 線断面図、図２Ｂは本ヘルメットの底面図である。
【図２】図２Ａは面ファスナの配置を示す底面図、図２Ｂは頭頂部に凸部を有する内装パッドを装着した状態を示す断面図である。
【図３】図３Ａ〜図３Ｃは、凸部の大きさの異なる内装パッドを示す断面図である。
【図４】図４Ａは突出部を有する装着体を装着した状態を示す断面図、図４Ｂは装着体を装着しない状態を示す断面図である。
【図５】図５Ａは内装パッドの凸部の形状の一例を示す斜視図、図５Ｂは内装パッドの分解斜視図である。
【図６】装着体および内装パッドの装着状態のバリエーションを示す縦断面図である。
【図７】図７Ａは変形例を示す緩衝材の形状を示す斜視図、図７Ｂは同底面図である。
【手続補正６】
【補正対象書類名】図面
【補正対象項目名】図４
【補正方法】変更
【補正の内容】
【図４】
2008002001.tif 000010